(57)【要約】【課題】  小型化を図りつつ携帯端末との接続安定性を実現すること。【解決手段】  この携帯端末用外付スピーカ装置１は、携帯端末Ａからの給電に応じて音を発生させるスピーカ部３と、スピーカ部３を収容する筐体２と、筐体２から外部に向けて突出し、携帯端末Ａのクリップ２３との接続時に携帯端末Ａに対してねじ込んで噛み合わせることによって固定可能に形成された接続端子４とを備える。これにより、小型化を図りつつ携帯端末との接続安定性を実現する携帯端末用外付スピーカ装置を提供することをができる。【選択図】  図１
2006157296.tif 000002
【特許請求の範囲】
【請求項１】
携帯端末からの給電に応じて音を発生させるスピーカ部と、
前記スピーカ部を収容する筐体と、
前記筐体から外部に向けて突出し、前記携帯端末の給電用接続端子との接続時に前記携帯端末に対して噛み合わせることによって固定可能に形成された接続端子と、
を備えることを特徴とする携帯端末用外付スピーカ装置。
【請求項２】
前記接続端子は、前記携帯端末に対して螺合するねじ部を有する、
ことを特徴とする請求項１記載の携帯端末用外付スピーカ装置。
【請求項３】
前記筐体は、前記スピーカ部からの音の伝搬方向側に形成された開口を有し、前記開口には、吸音部材を着脱可能に取り付ける取り付け部が形成されている、
ことを特徴とする請求項１又は２に記載の携帯端末用外付スピーカ装置。
【請求項４】
前記スピーカ部は、第１及び第２のスピーカ部材を有しており、
前記筐体は、前記第１のスピーカ部材を収容し、前記第１のスピーカ部材からの音の伝搬方向側に第１の開口が形成された第１の収容部と、前記第２のスピーカを収容し、前記第２のスピーカ部材からの伝搬方向側に第２の開口が形成された第２の収容部とを有し、
前記第１及び第２の収容部は、前記第１及び第２の開口を互いに繋ぎ合わせ及び分離が可能に連結されている、
ことを特徴とする請求項１又は２に記載の携帯端末用外付スピーカ装置。
【請求項５】
前記第１及び第２の収容部は、ヒンジにより互いに回動可能に連結されており、前記第１及び第２の開口を互いに分離させる際に、第１のスピーカ部材からの音の伝搬方向と第２のスピーカ部材からの音の伝搬方向とが略一致するように構成されている、
ことを特徴とする請求項４記載の携帯端末用外付スピーカ装置。
【発明の詳細な説明】
【技術分野】
【０００１】
本発明は、携帯端末用外付スピーカ装置に関するものである。
【背景技術】
【０００２】
従来から、携帯電話等の携帯端末に接続して、携帯端末からの電気信号を受信して音を発する小型の外付スピーカが使用されている。例えば、特許文献１記載の外付スピーカ装置は、一体的に形成された筐体内にスピーカを含む音声装置を有し、筐体に設けられたピンプラグを携帯電話に差し込むことにより互いに結合されるというものである。
【特許文献１】実用新案登録第３０７２１６１号公報
【発明の開示】
【発明が解決しようとする課題】
【０００３】
このような外付スピーカ装置は、携帯端末を接続対象とするものであるという性質上、携帯端末に接続された状態で持ち運ばれた場合であっても、それに耐えうるだけの接続安定性が要求される。しかしながら、特許文献１記載の外付スピーカ装置は、ピンプラグが携帯端末に差し込まれた状態で持ち運ばれた場合には、外付スピーカ装置が携帯端末から脱落し易いという問題があった。一方、特許文献１記載の外付スピーカ装置においては、携帯端末を保持するための保持部材が付加されているが、このような保持部材を設けることで構成が複雑になり、携帯性を阻害する結果となっていた。
【０００４】
そこで、本発明はかかる課題に鑑みて為されたものであり、小型化を図りつつ携帯端末との接続安定性を実現する携帯端末用外付スピーカ装置を提供することを目的とする。
【課題を解決するための手段】
【０００５】
上記課題を解決するため、本発明の携帯端末用外付スピーカ装置は、携帯端末からの給電に応じて音を発生させるスピーカ部と、スピーカ部を収容する筐体と、筐体から外部に向けて突出し、携帯端末の給電用接続端子との接続時に携帯端末に対して噛み合わせることによって固定可能に形成された接続端子とを備える。
【０００６】
このような携帯端末用外付スピーカ装置によれば、筐体から延びる接続端子を携帯端末の給電側端子に接続することによりスピーカ部に給電され、給電によりスピーカ部から音が発せられる。この接続の際には、接続端子を携帯端末に対して噛み合わせることによって互いに係止されるので、筐体外側に余分な部材を必要することなく携帯端末に対する接続が安定して維持される。
【０００７】
また、接続端子は、携帯端末に対して螺合するねじ部を有することが好ましい。かかる構成とすれば、接続端子における余分な部材を必要とすることなく安定して接続されると共に、携帯端末に対する接続作業がスムーズに為される。
【０００８】
さらに、筐体は、スピーカ部からの音の伝搬方向側に形成された開口を有し、開口には、吸音部材を着脱可能に取り付ける取り付け部が形成されていることも好ましい。この場合、スピーカ部からの音が通過する筐体の開口に吸音部材が着脱可能にされるので、装置の使用状態に応じて容易に消音させることができる。
【０００９】
またさらに、スピーカ部は、第１及び第２のスピーカ部材を有しており、筐体は、第１のスピーカ部材を収容し、第１のスピーカ部材からの音の伝搬方向側に第１の開口が形成された第１の収容部と、第２のスピーカを収容し、第２のスピーカ部材からの音の伝搬方向側に第２の開口が形成された第２の収容部とを有し、第１及び第２の収容部は、第１及び第２の開口を互いに繋ぎ合わせ及び分離が可能に連結されていることも好ましい。こうすれば、２つのスピーカを別々に収容した収容部が、それぞれの開口を開閉自在に連結されることで、装置の使用時には、２つの収容部を分離させ、装置の未使用時には、２つの収容部を繋ぎ合わせることができるので、持ち運び時の携帯性を高めることができる。
【００１０】
さらにまた、第１及び第２の収容部は、ヒンジにより互いに回動可能に連結されており、第１及び第２の開口を互いに分離させる際に、第１のスピーカ部材からの音の伝搬方向と第２のスピーカ部材からの音の伝搬方向とが略一致するように構成されていることも好ましい。このような構成を採れば、２つのスピーカを収容した収容部を開放する場合に、容易に２つのスピーカから出力される音の伝搬方向を一致させることができるので、低出力であっても確実に音声をユーザに伝達させることができる。
【発明の効果】
【００１１】
本発明の携帯端末用外付スピーカ装置によれば、小型化を図りつつ携帯端末との接続安定性を実現することができる。
【発明を実施するための最良の形態】
【００１２】
以下、図面とともに本発明による携帯端末用外付スピーカ装置の好適な実施形態について詳細に説明する。なお、図面の説明においては同一要素には同一符号を付し、重複する説明を省略する。
【００１３】
［第１実施形態］
図１は、本発明による携帯端末用外付スピーカ装置の第１実施形態を示す軸方向断面図である。同図に示す携帯端末用外付スピーカ装置１は、携帯電話機、ＰＨＳ（Personal Handyphone System）、ＰＤＡ（Personal Digital Assistance）等の携帯端末に接続して、携帯端末からの給電に応じて音を発生させるスピーカ装置である。この携帯端末用外付スピーカ装置１は、截頭円錐台形状の筐体２内に収容されたスピーカ部３と、筐体２の一方の端面から垂直に外部に向けて突出する接続端子４とから構成され、筐体２の他方の端面に形成された開口５には消音部６が取り付けられ、全体として円錐形状を成している。また、この開口５には、消音部６を着脱可能に固定するための凹部１４（取り付け部）が形成されている。
【００１４】
スピーカ部３は、振動により音を空気中に伝搬させるためのコーン７と、コーン７の裏側の底面上に布設された吸音部材１５と、接続端子４を通じて供給された電気信号をコーン７に伝達する機械的振動に変換する磁気回路部８とを備えており、いわゆる電磁型スピーカ機構を構成している。ここで、コーン７は、音の伝搬方向が筐体２の開口５を画成する面に垂直な方向となるように配置されている。また、この磁気回路部８の筐体２を挟んだ反対側には接続端子４が固定され、接続端子４には、磁気回路部８の端部から延在する金属製のピンプラグ９が貫通している。磁気回路部８の内部回路とピンプラグ９とは、図示しないリード線を介して電気的に接続されている。さらに、接続端子４の側面には、装置１を取り付け対象の携帯端末に対して固定するための雄ねじ部１０が形成されている。
【００１５】
消音部６は、グラスウール、フェルト等の繊維材料、又はポリウレタン等の樹脂材料からなる吸音部材１１を内部に有する円錐形状の部材である。この消音部６には、筐体２に対して固定させるためのＪ字形状の２つのフック１２が設けられている。この２つのフック１２は、消音部６の端面近傍の側面から消音部６の半径方向に向けて両端部を貫通させるように配置されている。また、消音部６内部におけるフック１２の中心軸線側の間隙には、弾性部材１３が挿入されており、この弾性部材１３の働きにより、フック１２が消音部６の半径方向に外側に向けて付勢されている。従って、フック１２の端部に対して消音部６の中心軸線に向かう力を加えることで、フック１２が半径方向にスライド可能とされる。ここで、消音部６は、筐体２に装着された状態においては、フック１２の消音部６の端面側の一方の端部１２ａを、筐体２の開口５に形成された凹部１４に嵌め合わせた状態でロックされる。
【００１６】
さらに、図２には、図１の携帯端末用外付スピーカ装置１の分解断面図を示す。同図に示すように、携帯端末用外付スピーカ装置１は、消音部６の着脱時においては消音部６の頂点側のフック１２の両端部をつまむことで、凹部１４に嵌め込まれたフック１２の端部１２ａが内側にスライドしてロックが解除されて、消音部６の筐体２に対する着脱が可能となるように構成されている。
【００１７】
次に、携帯端末用外付スピーカ装置１における携帯端末に対する接続機構について説明する。
【００１８】
図３において、（ａ）は、消音部６を取り付けた携帯端末用外付スピーカ装置１を携帯端末Ａに装着した状態を示す斜視図、（ｂ）は、消音部６を取り外した携帯端末用外付スピーカ装置１を携帯端末Ａに装着した状態を示す斜視図である。同図に示すように、携帯端末用外付スピーカ装置１は、接続端子４を携帯端末Ａの側面に設けられた接続口２１に接続することにより固定される。また、携帯端末用外付スピーカ装置１を携帯端末Ａに固定した状態で、上述したフック１２を利用して消音部６を着脱することで、装置１の使用状態に応じてスピーカ部３から外部に伝搬される音を通過／遮断させることが可能となる。
【００１９】
図４は、図３における携帯端末用外付スピーカ装置１と携帯端末Ａとの接続部分を示す分解断面図、図５は、図３における携帯端末用外付スピーカ装置１と携帯端末Ａとの接続部分を示す断面図である。図４に示すように、携帯端末Ａの側面には、接続端子４と略同一径の接続口２１が形成され、接続口２１の底面には、さらに、ピンプラグ９と略同一径のピン挿入口２２が設けられている。また、ピン挿入口２２の外側にはＵ字形状のクリップ（給電用接続端子）２３が、その両端部をピン挿入口２２の内面に垂直な方向に貫通させるように配置されている。このクリップ２３は、リード線２６を介して携帯端末Ａの給電用の内部回路（図示せず）に接続されている。このような構成により、携帯端末用外付スピーカ装置１と携帯端末Ａとの接続時には、接続端子４の雄ねじ部１０と接続口２１の内面に形成された雌ねじ部２４とを螺合させることで、携帯端末用外付スピーカ装置１が接続口２１にねじ込まれる。その際、図５に示すように、ピンプラグ９も併せてピン挿入口２２に挿入され、接続端子４が十分にねじ込まれると、ピンプラグ９に形成された窪み部２５に、クリップ２３の端部がその弾性力により押圧され、ピンプラグ９とクリップ２３とが電気的に接続される。
【００２０】
以上説明した携帯端末用外付スピーカ装置１によれば、筐体２から外側に延びる接続端子４のピンプラグ９を携帯端末Ａのクリップ２３に接続することによりスピーカ部３に給電され、給電によりスピーカ部３から音が発せられる。この接続の際には、接続端子４の雄ねじ部１０を携帯端末Ａの接続口２１の雌ねじ部２４に対して噛み合わせてねじ込むことによって互いに係止されるので、筐体２外側に余分な部材を必要することなく携帯端末Ａに対する接続が安定して維持される。
【００２１】
また、携帯端末Ａに対してねじ止めによって固定する構成を採っているので、接続端子４における余分な部材を必要とすることなく安定して接続されると共に、携帯端末Ａに対する接続作業がスムーズに為される。
【００２２】
また、スピーカ部３からの音が通過する筐体２の開口５には、消音部６が着脱可能にされるので、マナーモードへの変更等のユーザの余計な操作を必要とすることなしに装置の使用状態に応じて容易に消音させることができる。
【００２３】
［第２実施形態］
次に、本発明の第２実施形態について説明する。図６は、本発明による携帯端末用外付スピーカ装置の第２実施形態を示す軸方向断面図、図７は、図６の携帯端末用外付スピーカ装置の使用時の状態を示す断面図である。
【００２４】
この第２実施形態にかかる携帯端末用外付スピーカ装置３１の第１実施形態との主な相違点は、スピーカ部３に相当する第１スピーカ部（第１のスピーカ部材）３３ａに加えて、高音出力用の第２スピーカ部（第２のスピーカ部材）３３ｂを備える点である。すなわち、携帯端末用外付スピーカ装置３１は、第１スピーカ部３３ａを収容すると共に、接続端子３４を有する截頭円錐台形状の第１筐体（第１の収容部）３２ａと、第２スピーカ部３３ｂを収容する円錐形状の第２筐体（第２の収容部）３２ｂとを備える。この第１筐体３２ａ及び接続端子３４の構成は、第１実施形態の筐体２及び接続端子４の構成と同様であり、第１スピーカ部３３ａからの音の伝搬方向側に開口（第１の開口）３５ａが形成されている。
【００２５】
第２スピーカ部３３ｂは、図６に示すように、コーン３７ｂと、磁気回路部３８ｂと、コーン３７ｂの裏側に設けられた吸音部材４５ｂとを備えており、コーン３７ｂは、音の伝搬方向が、筐体３２ｂの底面側に形成された開口（第２の開口）３５ｂを画成する面に垂直な方向となるように配置されている。また、この磁気回路部３８ｂは、その内部回路が絶縁コーティングされた銅線４６を介して接続端子３４のピンプラグ３９と電気的に接続されている。この場合、銅線４６は、後述するヒンジ部５０の軸部５１に巻き付けられた状態で、第２筐体３２ｂ内部から第１筐体３２ａ内部に向けて延びている。
【００２６】
また、第１筐体３２ａと第２筐体３２ｂとは、開口３５ａと開口３５ｂとを互いに繋ぎ合わせた状態で、繋ぎ目の側面側をヒンジ部５０によって連結されている。このヒンジ部５０には軸部５１が取り付けられており、この軸部５１を回転中心として、第１筐体３２ａと第２筐体３２ｂとが互いに回動可能とされている。さらに、開口３５ｂの開口３５ａとの連結部分のヒンジ部５０の反対側には、フック４２が設けられ、このフック４２により、第１筐体３２ａと第２筐体３２ｂとが繋ぎ合わされた状態でロックされる。
【００２７】
一方、図７を参照して、フック４２のロックが解除された場合は、第２筐体３２ｂが、ヒンジ部５０の軸部５１を回転中心として第１筐体３２ａに対して回動可能とされ、開口３５ａと開口３５ｂとが最大限に分離された状態においては、第１筐体３２ａの側面と第２筐体３２ｂの側面とが当接した状態で、互いの位置が安定化される。この際、第１筐体３２ａと第２筐体３２ｂとは、開口３５ａを画成する面と、開口３５ｂを画成する面とが略平行となるように配置され、この場合は、第１スピーカ部３３ａからの音の伝搬方向と第２スピーカ部３３ｂからの音の伝搬方向とが略一致する。
【００２８】
以下、図８及び図９を参照して、フック４２の構成及び作用について詳細に説明する。図８において、（ａ）は、図６のフック４２のロック前の状態を示す拡大断面図、（ｂ）は、図６のフック４２のロック後の状態を示す拡大断面図、図９において、（ａ）は、図６のフック４２のロック解除直後の状態を示す拡大断面図、（ｂ）は、図６のフック４２のロック解除後の状態を示す拡大断面図である。
【００２９】
図８（ａ）に示すように、フック４２は、その先端に第２筐体３２ｂの側面側に直角に折れ曲がるＬ字型形状の係止部材５２を有している。この係止部材５２は、直線状に形成された溝部を有し、この溝部をフック４２本体に嵌め込むことで、フック４２本体に取り付けられている。ここで、第２筐体３２ｂが第１筐体３２ａに向けて回動されると、図８（ｂ）に示すように、係止部材５２が、弾性変形しながら第１筐体３２ａの縁部に形成された突起部５３を乗り越えることでフック４２が突起部５３に係止され、第２筐体３２ｂが第１筐体３２ａに対して図の上下方向にロックされる。
【００３０】
一方、図９（ａ）に示すように、第２筐体３２ｂが第１筐体３２ａに対してロックされた状態（図８（ｂ）参照）から、係止部材５２をフック４２本体から外側に取り外すことが可能とされる。係止部材５２がフック４２本体から取り外されると、係止部材５２が突起部５３から引き離され、第２筐体３２ｂの第１筐体３２ａに対するロックが解除される。ここで、図９（ｂ）に示すように、第２筐体３２ｂが、第１筐体３２ａから分離する方向に持ち上げられると、ヒンジ部５０の軸部５１を回転中心として第２筐体３２ｂが第１筐体３２ａに対して回動される。
【００３１】
以上説明した携帯端末用外付スピーカ装置３１によれば、２つのスピーカ部３３ａ，３３ｂを別々に収容した第１筐体３２ａ及び第２筐体３２ｂが、それぞれの開口３５ａ，３５ｂを開閉自在に連結されることで、装置の使用時には、２つの筐体３２ａ，３２ｂを分離させ、装置の未使用時には、２つの筐体３２ａ，３２ｂを繋ぎ合わせることができるので、持ち運び時の携帯性の向上及び使用時の音の放出特性の向上の両立を図ることができる。
【００３２】
また、２つのスピーカ部３３ａ，３３ｂを収容した筐体３２ａ，３２ｂを開放する場合に、容易に２つのスピーカ部３３ａ，３３ｂから出力される音の伝搬方向を一致させることができるので、低出力であっても確実に音声をユーザに伝達させることができる。
【００３３】
なお、本発明は上述した各実施形態に限定されるものではない。例えば、携帯端末用外付スピーカ装置１，３１においては接続端子４をねじ込みによって携帯端末Ａに対して固定しているが、ＢＮＣ（Bayonet Neill-Concelman）コネクタ、ボール部材を用いたコネクタ等の他の噛み合わせ方式による固定手段を用いてもよい。
【００３４】
また、携帯端末用外付スピーカ装置１においては消音部６が着脱可能とされていたが、この消音部６に代えてメッシュ形状の材料又は多孔性材料によって形成された蓋部が着脱可能なように構成されていてもよい。
【００３５】
また、端末用外付スピーカ装置１，３１におけるスピーカ部３，３３ａ，３３ｂとしてはコーン型電磁スピーカが用いられているが、これは、静電型、圧電型等の他の変換方式、ホーン型、ドーム型等の他の振動板形状のスピーカを用いてもよい。
【図面の簡単な説明】
【００３６】
【図１】本発明による携帯端末用外付スピーカ装置の第１実施形態を示す軸方向断面図である。
【図２】図１の携帯端末用外付スピーカ装置の分解断面図である。
【図３】（ａ）は、消音部を取り付けた携帯端末用外付スピーカ装置を携帯端末に装着した状態を示す斜視図、（ｂ）は、消音部を取り外した携帯端末用外付スピーカ装置を携帯端末に装着した状態を示す斜視図である。
【図４】図３における携帯端末用外付スピーカ装置と携帯端末との接続部分を示す分解断面図である。
【図５】図３における携帯端末用外付スピーカ装置と携帯端末との接続部分を示す断面図である。
【図６】本発明による携帯端末用外付スピーカ装置の第２実施形態を示す軸方向断面図である。
【図７】図６の携帯端末用外付スピーカ装置の使用時の状態を示す断面図である。
【図８】（ａ）は、図６のフックのロック前の状態を示す拡大断面図、（ｂ）は、図６のフックのロック後の状態を示す拡大断面図である。
【図９】（ａ）は、図６のフックのロック解除直後の状態を示す拡大断面図、（ｂ）は、図６のフックのロック解除後の状態を示す拡大断面図である。
【符号の説明】
【００３７】
１，３１…携帯端末用外付スピーカ装置、２…筐体、３…スピーカ部、４…接続端子、５…開口、６…消音部、７…コーン、８…磁気回路部、９…ピンプラグ、１０…雄ねじ部（ねじ部）、１１…吸音部材、１２…フック、１４…凹部（取り付け部）、２１…接続口、２２…ピン挿入口、２３…クリップ（給電側接続端子）、３２ａ…第１筐体（第１の収容部）、３２ｂ…第２筐体（第２の収容部）、３３ａ…第１スピーカ部（第１のスピーカ部材）、３３ｂ…第２スピーカ部（第２のスピーカ部材）、３４…接続端子、３５ａ…開口（第１の開口）、３５ｂ…開口（第２の開口）、５０…ヒンジ部（ヒンジ）、Ａ…携帯端末。  
【図１】
2006157296.tif 000003
【図２】
2006157296.tif 000004
【図３】
2006157296.tif 000005
【図４】
2006157296.tif 000006
【図５】
2006157296.tif 000007
【図６】
2006157296.tif 000008
【図７】
2006157296.tif 000009
【図８】
2006157296.tif 000010
【図９】
2006157296.tif 000011